(57)【特許請求の範囲】
【請求項１】
少なくとも１つのユーザ装置に対して中継局を設定すべきであると決定し、及び
前記中継局に対して第１のコアネットワーク要素にアクセスポイント名を設定する、
ことを含み、前記アクセスポイント名は、第２のコアネットワーク要素のアドレスにアクセスするように構成され、前記アクセスポイント名には、少なくとも１つのユーザ装置に対して中継局の顧客構内装置と同じレンジのアドレスが指定される、方法。
【請求項２】
前記第１のコアネットワーク要素は、パケットデータネットワークゲートウェイ又はサービングゲートウェイの少なくとも一方を含む、請求項１に記載の方法。
【請求項３】
前記第２のコアネットワーク要素は、移動管理エンティティ、パケットデータネットワークゲートウェイ、又はサービングゲートウェイの少なくとも１つを含む、請求項１又は２に記載の方法。
【請求項４】
少なくとも１つのユーザ装置に対して第１のコアネットワーク要素に中継局が設定されたと決定し、及び
第２のコアネットワーク要素において、少なくとも１つのスタティックインターネットプロトコルアドレス及び前記中継局における顧客構内装置のアクセスポイント名を指定する、
ことを含み、前記スタティックインターネットプロトコルアドレスは、前記第１のコアネットワーク要素に設定された前記中継局のアドレスと同じレンジに属するように選択される、方法。
【請求項５】
前記第１のコアネットワーク要素は、パケットデータネットワークゲートウェイ又はサービングゲートウェイの少なくとも一方を含む、請求項４に記載の方法。
【請求項６】
前記第２のコアネットワーク要素は、移動管理エンティティ又はホーム加入者サーバーの少なくとも１つを含む、請求項４又は５に記載の方法。
【請求項７】
前記顧客構内装置に対するスタティックインターネットプロトコルアドレスは、中継局の小型セルに橋絡するように構成される、請求項４から６のいずれかに記載の方法。
【請求項８】
前記顧客構内装置に対するスタティックインターネットプロトコルアドレスは、Ｓ１−Ｃ、Ｓ１−Ｕ、Ｓ１−Ｍに対するアドレス、或いはＳ１−Ｃ、Ｓ１−Ｕ、Ｓ１−Ｍの組み合せに対するアドレスとして使用されるように構成される、請求項７に記載の方法。
【請求項９】
前記レンジは、中継局に対して予約されたインターネットプロトコルアドレスの規定のプールを含む、請求項４から８のいずれかに記載の方法。
【請求項１０】
少なくとも１つのプロセッサ、及び
コンピュータプログラムコードを含む少なくとも１つのメモリ、
を備えた装置において、少なくとも１つのメモリ及びコンピュータプログラムコードは、少なくとも１つのプロセッサとで、装置が、少なくとも、
少なくとも１つのユーザ装置に対して中継局を設定すべきであると決定し、及び
前記中継局に対して第１のコアネットワーク要素にアクセスポイント名を設定する、
ようにさせるよう構成され、前記アクセスポイント名は、第２のコアネットワーク要素のアドレスにアクセスするように構成され、前記アクセスポイント名には、少なくとも１つのユーザ装置に対して中継局の顧客構内装置と同じレンジのアドレスが指定される、装置。
【請求項１１】
前記第１のコアネットワーク要素は、パケットデータネットワークゲートウェイ又はサービングゲートウェイの少なくとも一方を含む、請求項１０に記載の装置。
【請求項１２】
前記第２のコアネットワーク要素は、移動管理エンティティ、パケットデータネットワークゲートウェイ、又はサービングゲートウェイの少なくとも１つを含む、請求項１０又は１１に記載の装置。
【請求項１３】
少なくとも１つのプロセッサ、及び
コンピュータプログラムコードを含む少なくとも１つのメモリ、
を備えた装置において、少なくとも１つのメモリ及びコンピュータプログラムコードは、少なくとも１つのプロセッサとで、装置が、少なくとも、
少なくとも１つのユーザ装置に対して第１のコアネットワーク要素に中継局が設定されたと決定し、及び
第２のコアネットワーク要素において、少なくとも１つのスタティックインターネットプロトコルアドレス及び中継局における顧客構内装置のアクセスポイント名を指定する、ようにさせるよう構成され、前記スタティックインターネットプロトコルアドレスは、前記第１のコアネットワーク要素に設定された前記中継局のアドレスと同じレンジに属するように選択される、装置。
【請求項１４】
前記第１のコアネットワーク要素は、パケットデータネットワークゲートウェイ又はサービングゲートウェイの少なくとも一方を含む、請求項１３に記載の装置。
【請求項１５】
前記第２のコアネットワーク要素は、移動管理エンティティ又はホーム加入者サーバーの少なくとも１つを含む、請求項１３又は１４に記載の装置。
【請求項１６】
前記顧客構内装置に対するスタティックインターネットプロトコルアドレスは、中継局の小型セルに橋絡するように構成される、請求項１３から１５のいずれかに記載の装置。
【請求項１７】
前記顧客構内装置に対するスタティックインターネットプロトコルアドレスは、Ｓ１−Ｃ、Ｓ１−Ｕ、Ｓ１−Ｍに対するアドレス、或いはＳ１−Ｃ、Ｓ１−Ｕ、Ｓ１−Ｍの組み合せに対するアドレスとして使用されるように構成される、請求項１６に記載の装置。
【請求項１８】
前記レンジは、中継局に対して予約されたインターネットプロトコルアドレスの規定のプールを含む、請求項１３から１７のいずれかに記載の装置。
【請求項１９】
少なくとも１つのユーザ装置に対して中継局を設定すべきであると決定する手段、及び  中継局に対して第１のコアネットワーク要素にアクセスポイント名を設定する手段、を備え、前記アクセスポイント名は、第２のコアネットワーク要素のアドレスにアクセスするように構成され、前記アクセスポイント名には、少なくとも１つのユーザ装置に対して中継局の顧客構内装置と同じレンジのアドレスが指定される、装置。
【請求項２０】
前記第１のコアネットワーク要素は、パケットデータネットワークゲートウェイ又はサービングゲートウェイの少なくとも一方を含む、請求項１９に記載の装置。
【請求項２１】
前記第２のコアネットワーク要素は、移動管理エンティティ、パケットデータネットワークゲートウェイ、又はサービングゲートウェイの少なくとも１つを含む、請求項１９又は２０に記載の装置。
【請求項２２】
少なくとも１つのユーザ装置に対して第１のコアネットワーク要素に中継局が設定されたと決定するための手段、及び
第２のコアネットワーク要素において、少なくとも１つのスタティックインターネットプロトコルアドレス及び前記中継局における顧客構内装置のアクセスポイント名を指定するための手段、
を備え、前記スタティックインターネットプロトコルアドレスは、前記第１のコアネットワーク要素に設定された前記中継局のアドレスと同じレンジに属するように選択される、装置。
【請求項２３】
前記第１のコアネットワーク要素は、パケットデータネットワークゲートウェイ又はサービングゲートウェイの少なくとも一方を含む、請求項２２に記載の装置。
【請求項２４】
前記第２のコアネットワーク要素は、移動管理エンティティ又はホーム加入者サーバーの少なくとも１つを含む、請求項２２又は２３のいずれかに記載の装置。
【請求項２５】
前記顧客構内装置に対するスタティックインターネットプロトコルアドレスは、中継局の小型セルに橋絡するように構成される、請求項２２から２４のいずれかに記載の装置。
【請求項２６】
前記顧客構内装置に対するスタティックインターネットプロトコルアドレスは、Ｓ１−Ｃ、Ｓ１−Ｕ、Ｓ１−Ｍに対するアドレス、或いはＳ１−Ｃ、Ｓ１−Ｕ、Ｓ１−Ｍの組み合せに対するアドレスとして使用されるように構成される、請求項２５に記載の装置。
【請求項２７】
前記レンジは、中継局に対して予約されたインターネットプロトコルアドレスの規定のプールを含む、請求項２２から２６のいずれかに記載の装置。
【請求項２８】
ハードウェアで実行されるときに、請求項１から９のいずれかに記載の方法を含むプロセスを遂行するインストラクションでエンコードされる非一時的コンピュータ読み取り可能な媒体。
【請求項２９】
請求項１から９のいずれかに記載の方法を含むプロセスを遂行するためのインストラクションをエンコードするコンピュータプログラム。
【発明の詳細な説明】
【技術分野】
【０００１】
多くの通信システムは、中継局の適切な使用から利益が得られる。例えば、あるワイヤレス通信システムは、ユーザ装置をベースとする中継局の高速且つ柔軟な配備から利益が得られる。
【背景技術】
【０００２】
長期進化（ＬＴＥ）／ＬＴＥアドバンスト（ＬＴＥ−Ａ）の開発及び導入の前後にはワイヤレス通信における色々な種類の中継局が検討されている。一般的に、中継局は、中継ノードの異なるプロトコルアーキテクチャーに対応するＬ１中継局、Ｌ２中継局及びＬ３中継局に分類することができる。Ｌ３中継局は、第３世代パートナーシッププロジェクト（３ＧＰＰ）において、周波数分割デュープレックス（ＦＤＤ）及び時分割デュープレックスの両方について検討され且つ定義されている。
【０００３】
ＬＴＥ及びＬＴＥ−Ａは、主要な屋外配備解決策としてマクロベースステーションと共に近年世界的に急速に導入されている。３ＧＰＰで定義されたいわゆるインバンド中継局は、ドナーｅＮＢと中継局との間のリンク及び中継局とＵＥとの間のリンクを意味するものであるが、同じ周波数リソースを共有する。そのような共有は、エアインターフェイスプロトコルを非常に複雑にし、コアにおけるプロトコル更新を伴う。中継局は、顧客ネットワークにおける主要なシナリオではないので、若干の中継局をサポートするために全領域のネットワークを更新することはできない。そのようなケースについての更新は、コアネットワーク（ＣＮ）更新及び無線アクセスネットワーク（ＲＡＮ）更新を伴い、これらは、進化型ノードＢ（ｅＮＢ）、移動管理エンティティ（ＭＭＥ）、ホーム加入者サーバー（ＨＳＳ）、及びオペレーションサポートシステム（ＯＳＳ）に対する更新を含む。更に、２つの更新されたネットワーク要素間のモノのインターネット（ＩｏＴ）も、更新の必要があり、売主多数の場合には複雑なものとなる。
【発明の概要】
【発明が解決しようとする課題】
【０００４】
１つの選択肢は、中継局として一緒に働く複合型小型セル及び中継局顧客構内装置（ＣＰＥ）を使用することである。顧客構内装置は、顧客が設ける装置である。複合型小型セル及びＣＰＥを使用するこの解決策は、進化型パケットコア（ＥＰＣ）に影響を及ぼすことはないが、ｅＮＢ更新を必要とする。そのような解決策では、ＭＭＥ／Ｓ−ＧＷの観点から中継局関連Ｓ１リンクはなく、これは、分解されてｅＮＢのＳ１リンクへと集合されている。従って、ＥＰＣとｅＮＢとの間には非常に厳密な相互依存性がある。
【課題を解決するための手段】
【０００５】
ある実施形態によれば、方法は、少なくとも１つのユーザ装置に対して中継局を設定すべきであると決定することを含む。又、この方法は、中継局に対して第１のコアネットワーク要素にアクセスポイント名を設定することも含む。このアクセスポイント名は、第２のコアネットワーク要素のアドレスにアクセスするように構成される。
【０００６】
ある実施形態において、方法は、少なくとも１つのユーザ装置に対して第１のコアネットワーク要素に中継局が設定されたと決定することを含む。又、この方法は、第２のコアネットワーク要素において、少なくとも１つのスタティックインターネットプロトコルアドレス及び中継局における顧客構内装置のアクセスポイント名を指定することも含む。そのインターネットプロトコルアドレスは、第１のコアネットワーク要素に設定された中継局のアドレスと同じレンジに属するように選択される。
【０００７】
ある実施形態によれば、装置は、少なくとも１つのプロセッサ及びコンピュータプログラムコードを含む少なくとも１つのメモリを備えている。少なくとも１つのメモリ及びコンピュータプログラムコードは、少なくとも１つのプロセッサとで、装置が、少なくとも、少なくとも１つのユーザ装置に対して中継局を設定すべきであると決定するようにさせるよう構成される。又、少なくとも１つのメモリ及びコンピュータプログラムコードは、少なくとも１つのプロセッサとで、装置が、少なくとも、中継局に対して第１のコアネットワーク要素にアクセスポイント名を設定するようにさせるよう構成される。このアクセスポイント名は、第２のコアネットワーク要素のアドレスにアクセスするように構成される。
【０００８】
ある実施形態において、装置は、少なくとも１つのプロセッサ及びコンピュータプログラムコードを含む少なくとも１つのメモリを備えている。少なくとも１つのメモリ及びコンピュータプログラムコードは、少なくとも１つのプロセッサとで、装置が、少なくとも、少なくとも１つのユーザ装置に対して第１のコアネットワーク要素に中継局が設定されたと決定するようにさせるよう構成される。又、少なくとも１つのメモリ及びコンピュータプログラムコードは、少なくとも１つのプロセッサとで、装置が、少なくとも、第２のコアネットワーク要素において、少なくとも１つのスタティックインターネットプロトコルアドレス及び中継局における顧客構内装置のアクセスポイント名を指定するようにさせるよう構成される。そのインターネットプロトコルアドレスは、第１のコアネットワーク要素に設定された中継局のアドレスと同じレンジに属するように選択される。
【０００９】
ある実施形態によれば、装置は、少なくとも１つのユーザ装置に対して中継局を設定すべきであると決定するための手段を備えている。又、装置は、中継局に対して第１のコアネットワーク要素にアクセスポイント名を設定するための手段も備え、このアクセスポイント名は、第２のコアネットワーク要素のアドレスにアクセスするように構成される。
【００１０】
ある実施形態において、装置は、少なくとも１つのユーザ装置に対して第１のコアネットワーク要素に中継局が設定されたと決定するための手段を備えている。又、この装置は、第２のコアネットワーク要素において、少なくとも１つのスタティックインターネットプロトコルアドレス及び中継局における顧客構内装置のアクセスポイント名を指定するための手段も備え、そのインターネットプロトコルアドレスは、第１のコアネットワーク要素に設定された中継局のアドレスと同じレンジに属するように選択される。
【００１１】
非一時的コンピュータ読み取り可能な媒体は、ある実施形態によれば、ハードウェアで実行されるときにプロセスを遂行するインストラクションでエンコードされる。そのプロセスは、前記方法のいずれかである。
【００１２】
コンピュータプログラム製品は、ある実施形態では、プロセスを遂行するためのインストラクションをエンコードする。そのプロセスは、前記方法のいずれかである。
【００１３】
本発明を適切に理解するために、添付図面を参照する。
【図面の簡単な説明】
【００１４】
【図１】ある実施形態によるシステムアーキテクチャーを示す。
【図２】ある実施形態によるコアネットワークでの実施を示す。
【図３】ある実施形態による通信経路サポート中継局を示す。
【図４】ある実施形態によるオペレーション及びメンテナンス構成を示す。
【図５】ある実施形態による方法を示す。
【図６】ある実施形態によるシステムを示す。
【発明を実施するための形態】
【００１５】
ある実施形態は、中継局システムの柔軟な配備を許す。そのような柔軟な配備は、既存のネットワーク及びサービス中の加入者への影響を最小限として付加的なカバレージ及び容量増加を与える。
【００１６】
更に別の実施形態は、３ＧＰＰにより現在定義されていない移動中継局に向けられる。移動中継局は、例えば、メインゲート又は一時的カバレージのためのパーキングにおいて音楽祭／スポーツ競技、等のマスイベントのような特別のネットワーク容量が必要とされるイベントに使用される。更に、移動中継局は、非常通信又は他のシナリオにも使用される。
【００１７】
上述したように、３ＧＰＰは、インバンド中継局を定義している。このインバンド中継局は、全バッファトラフィックモデルの仮定に基づき干渉を効果的及び効率的に管理するように構成される。しかしながら、実際には、ネットワークは、高いトラフィック負荷で常にジャミングを受ける。従って、短期のカバレージを与えるために準最適な中継解決策が試される。
【００１８】
種々の実施形態は、ユーザ装置（ＵＥ）をベースとする中継システム及び方法を提供することができる。図１は、ある実施形態によるシステムアーキテクチャーを示す。
【００１９】
図１に示すように、サービスを受けるユーザ装置ＵＥ＃２は、進化型ノードＢ（ｅＮＢ）からの信号を中継するため、小型セル及び中継局顧客構内装置（ＣＰＥ）を備えた中継局によりサポートされる。図１のｅＮＢは、周波数分割デュープレックス（ＦＤＤ）であるか又は時分割デュープレックス（ＴＤＤ）であるかに関わらず、汎用長期進化（ＬＴＥ）ベースステーションであり、そして希望の売主により提供される。
【００２０】
インターフェイスＳ１−Ｕは、中継局ＣＰＥと、サービング及び／又はパケットデータネットワーク（ＰＤＮ）ゲートウェイ（Ｓ−ＧＷ／Ｐ−ＧＷ又はＳ／Ｐ  ＧＷ）との間にｅＮＢを経て設けられる。インターフェイスＳ１−Ｃは、移動管理エンティティ（ＭＭＥ）とＳ／Ｐ  ＧＷとの間に設けられる。更に、Ｓ１−Ｕは、Ｓ／Ｐ  ＧＷを参照して設けられる。これらのインターフェイスＳ１−Ｕ、Ｓ１−Ｃ、等は、規範的インターフェイスである。他のインターフェイスにも同じ原理を適用できる。
【００２１】
中継局ＣＰＥは、商業的ＣＰＥであり、そして小型セルは、ＴＤＤであるかＦＤＤであるか及びどの売主であるかに関わらず、商業的小型セルベースステーションである。中継局ＣＰＥは、ｅＮＢへの／からのバックホールを与え、そして小型セルは、ユーザ装置への／からのフロントホールを与える。中継局ＣＰＥ及び小型セルは、共に、ＵＥベースの中継局として機能する。中継局ＣＰＵ、ｅＮＢ及び小型セルは、イーサネット、ファイバー、ワイヤレス、又はその組み合せにより、色々に接続することができる。
【００２２】
ＭＭＥ及びサービングゲートウェイは、進化型パケットコア（ＥＰＣ）コアネットワーク要素である。この例では、ＵＥ＃１は、ｅＮＢによりサービスを受けるが、ＵＥ２は、中継局によりサービスを受ける。小型セル及び商業的ＣＰＥは、共に、中継機能を果たすことができる。
【００２３】
ある実施形態は、中継局のカバレージの下にあるＵＥがＳ１リンクを首尾良く設定できるようにＥＰＣコアネットワークを構成する方法を提供することができる。この方法は、中継局専用のＥＰＣ  Ｐ−ＧＷに１つの付加的なアクセスポイント名（ＡＰＮ）を設定することを含む。このＡＰＮは、ＥＰＣコアノードのインターネットプロトコル（ＩＰ）アドレスにアクセスすることができる。中継局によるサービスを受けるＵＥの場合に、ＩＰアドレスは、通常のＡＰＮにより指定される通常のＵＥと同じプロセスをたどることができる。
【００２４】
ホーム加入者サーバー（ＨＳＳ）は、中継局のＣＰＥ  ＩＭＳＩに対してスタティックなＩＰアドレス及びＡＰＮを指定し、そしてこのＩＰアドレスは、Ｐ−ＧＷで定義された中継局ＡＰＮのＩＰアドレスと同じＩＰアドレスレンジに属する。ＨＳＳにより指定されるこのＩＰアドレスは、ＣＰＥから小型セルへ橋絡され、そして小型セルは、このＩＰアドレスを、Ｓ１−Ｃ／Ｓ１−Ｕ／Ｓ１−Ｍ又はそれらインターフェイスの組み合せのＩＰアドレスとして使用することができる。
【００２５】
ある実施形態を具現化するための種々の仕方がある。一般的に、具現化は、ＥＰＣコアネットワークにおける具現化、オペレーション及びメンテナンス（Ｏ＆Ｍ）構成における具現化、及び無線アクセスネットワーク（ＲＡＮ）における具現化に関して説明する。
【００２６】
図２は、ある実施形態によるコアネットワークにおける具現化を示す。中継局については、端−端（ｅ２ｅ）接続は、次のリンク：即ちイーサネットケーブル（例えば、カテゴリ５（Ｃａｔ５）ケーブル）を経て中継局ＣＰＥに接続される小型セル；インターフェイスＵｕによりＬＴＥ  ｅＮＢに接続される中継器ＣＰＥ；ファイバケーブルによりパケットトランスポートネットワーク（ＰＴＮ）のアクセスポイントに接続されるＬＴＥ  ｅＮＢ；及びＭＭＥ０２／ＳＡＥＧＷ０２が存在する進化型パケットコア（ＥＰＣ）に接続できるコアサイトＰＴＮに更に接続できるアクセスＰＴＮのアグリゲーションを含む。これらは、例示に過ぎず、他の接続も考えられ、例えば、小型セルは、ファイバー又はワイヤレス接続も使用できる。
【００２７】
ある実施形態は、中継局のカバレージのもとで加入者のためのＳ１リンクを設定する上で助けとなる。
【００２８】
図１に示すように、ｅＮＢによるサービスを受けるＵＥ＃１は、Ｓ１コントロールプレーンメッセージ及びＳ１ユーザプレーンメッセージに対応するＳ１−Ｃ及びＳ１−Ｕの両方を含めて、ＭＭＥ及びＳ−ＧＷへのＳ１リンクを直接的に且つ通常に設定することができる。従って、そのようなユーザ装置は、容易に取り扱うことができる。
【００２９】
しかしながら、中継局によるサービスを受ける図１のＵＥ＃２については、ＵＥ＃２のＳ１−Ｕ及びＳ１−Ｃの両方が小型セルからＵｕ／Ｕｎインターフェイスの中継器ＣＰＥへ送られ、これは、中継器ＣＰＥ及びｅＮＢがＵＥ＃１のＳ１−Ｕ及びＳ１−Ｃの両方をローデータとして処理し、そしてそれらをＳ−ＧＷへ送ることを意味する。従って、ＥＣＰの観点から、ＵＥ＃２のＳ１−ＵのみがＳ−ＧＷによって解決されるが、ＵＥ＃２のＳ１−Ｃ情報は、移動管理エンティティ（ＭＭＥ）では全く得られない。従って、ＵＥ＃２のＳ１リンクの設定は、失敗となる。
【００３０】
従って、ＥＰＣ側での実施方法は、次のことを含む。ＥＰＣコア側での中継局Ｓ１実現については、システムは、中継器ＡＰＮ  ＩＰプールをＳＡＥＧＷ０２において追加することができ、これは、スタティックなＩＰアドレスを中継局ＣＰＥに指定することができる。中継局ＩＰルートは、ＳＡＥＧＷ０２のインターフェイスＳｇｉからＳＷ１７／１８（ＥＰＣコアスイッチ７６０９）へ到来し、ＳＷ１７／１８をコアＰＴＮに接続し、そして７６０９のＩＰラウト(rout)をＭＭＥ０２及びＳＡＥＧＷ０２  Ｓ１ポートに追加することができる。
【００３１】
更に、Ｘ２  ＩＰラウト実現については、システムは、中継局ＣＰＥ  ＩＰアドレスに対するコアＰＴＮ上のＩＰラウトをＭＭＥ０２に追加して、中継器小型セルを他のＬＴＥｅＮＢに接続することができる。
【００３２】
更に、専用ユーザプロフィールを、中継局専用ＡＰＮ（例えば、中継局専用ＡＰＮ（例えば、Ｒｅｌａｙ．ＨＱ）と共に中継局ＳＩＭに対するＨＳＳに追加することができる。又、ＨＳＳは、スタティックなＩＰアドレスを構成することができる。ＩＰアドレスは、ＳＡＥＧＷ０２の中継局ＩＰプール内にある。スタティックなＩＰは、実際の小型セルのメンテナンスを容易に行うが、同じ解決策を、ダイナミックなＩＰ、例えば、固定プールから選択されたものと共に適用することができる。又、システムは、Ｒｅｌａｙ．ＨＱのドメイン名サービス（ＤＮＳ）解決策をＤＮＳサーバーのＳＥＡＧＷ０２に追加することもできる。
【００３３】
図３は、ある実施形態による通信経路サポート中継局を示す。図３に示すように、ＳＷ１７  Ｓｇｉインターフェイスは、ｖｒｆｃｍｎｅｔ  ＶＰＮドメインにあり、一方、ＳＷ１７の他のインターフェイスは、デフォールトラウトドメインにある。従って、ＳｇｉからＭＭＥ０２及びＳＥＡＧＷ０２への中継局Ｓ１ｃ及びＳ１ｕを実現するために、ＳＷ１７のサブインターフェイス又は新たなファイバー接続をＭＭＥ／ＳＡＥＧＷ及びバンディングｖｒｆｃｍｎｅｔに追加することができる。
【００３４】
上述したように、実施は、Ｏ＆Ｍ構成も伴う。図４は、ある実施形態によるオペレーション及びメンテナンス構成を示す。
【００３５】
図４に示すように、中継サービスＩＰをメンテナンスに使用するため、ＳＷ１８／１８からＬＴＥオペレーションシステムサポート（ＯＳＳ）へラウトを追加することができる。図４に示すように、ラウトは、特定のＬＴＥ  ＯＳＳスイッチ（ＬＴＥ  ＯＳＳ  ＳＷ１、ＬＴＥ  ＯＳＳ  ＳＷ２）に対するものであり、そしてＯＳＳネットワークは、更に、ＬＴＥ又は他のシステムへの通信を実施することができる。
【００３６】
更に、上述したように、ある実施形態は、無線アクセスネットワーク（ＲＡＮ）における実施も含む。先行する図及び説明から明らかなように、小型セル及び中継局ＣＰＥの組み合せは、ＵＥベースの中継局として機能することができる。中継局ＣＰＥは、ブリッジモードにより小型セルに対するＳ１  ＩＰアドレスを与えることができる。
【００３７】
小型セル及びドナーｅＮＢは、異なる絶対的高周波チャンネルナンバー（ＡＲＦＣＮ）を使用して、干渉を回避することができる。それでも、異なるＡＲＦＣＮのこの使用は、施行されなくてもよく、従って、あるケースでは、適用されない。従って、小型セル及びドナーｅＮＢは、同じＡＲＦＣＮを使用できることが考えられる。これは、例えば、干渉を回避するためのＲＦプランニングのような他の仕方、例えば、方向性アンテナ、傾斜調整、等で干渉を回避することにより達成されてもよい。
【００３８】
図５は、ある実施形態による方法を示す。図５に示すように、この方法は、５１０において、少なくとも１つのユーザ装置に対して中継局を設定すべきであると決定することを含む。この決定は、例えば、無線アクセスネットワーク要素から与えられる情報に基づいてコアネットワーク要素において行われる。
【００３９】
又、この方法は、５２０において、中継局に対して第１のコアネットワーク要素にアクセスポイント名を設定することを含み、そのアクセスポイント名は、第２のコアネットワーク要素のアドレスにアクセスするように構成される。
【００４０】
第１のコアネットワーク要素は、パケットデータネットワークゲートウェイ、サービングゲートウェイ、又はその組み合せである。例えば、ある実施形態では、第１のコアネットワーク要素は、システムアーキテクチャー進化（ＳＡＥ）ゲートウェイである。他の実施形態も考えられる。
【００４１】
アクセスポイント名は、少なくとも１つのユーザ装置に対する中継局の顧客構内装置と同じレンジにおいてアドレスが指定される。上述したように、そのような選択は、管理を簡単にする。
【００４２】
第２のコアネットワーク要素は、移動管理エンティティ、パケットデータネットワークゲートウェイ、サービングゲートウェイ、又は他のコアネットワーク要素である。この方法は、更に、５３０において、少なくとも１つのユーザ装置に対して第１のコアネットワーク要素に中継局が設定されたと決定することを含む。これは、中継局が完全に設定されることを要求せずに、中継局が設定を開始したという決定である。中継局のこの設定は、５２０におけるアクセスポイント名の設定に対応する。
【００４３】
この方法は、更に、５４０において、第２のコアネットワーク要素において、少なくとも１つのスタティックインターネットプロトコルアドレス及び中継局の顧客構内装置のアクセスポイント名を指定することを含む。インターネットプロトコルアドレスは、第１のコアネットワーク要素に設定された中継局のアドレスと同じレンジに属するように選択される。
【００４４】
上述したように、第１のコアネットワーク要素は、例えば、パケットデータネットワークゲートウェイ又はサービングゲートウェイである。対照的に、第２のネットワーク要素は、例えば、移動管理エンティティ又はホーム加入者サーバーである。
【００４５】
顧客構内装置のスタティックインターネットプロトコルアドレスは、中継局の小型セルへ橋絡されるように構成される。更に、顧客構内装置のスタティックインターネットプロトコルアドレスは、Ｓ１−Ｃ、Ｓ１−Ｕ、Ｓ１−Ｍ、或いはＳ１−Ｃ、Ｓ１−Ｕ及びＳ１−Ｍの組み合せのアドレスとして使用されるように構成される。従って、例えば、コアネットワークは、中継されるユーザ装置へのＳ１インターフェイスを確認し及び適切に取り扱いすることができる。
【００４６】
上述したＩＰアドレスのレンジは、中継局に対して予約されたインターネットプロトコルアドレスの規定のプールである。他の考えられるレンジも許される。
【００４７】
図６は、本発明のある実施形態によるシステムを示す。１つの実施形態において、システムは、多数の装置、例えば、少なくとも１つのＵＥ６１０；ｅＮＢ又は他のベースステーション又はアクセスポイントである少なくとも１つの無線アクセスネットワーク要素６２０；及びパケットデータネットワーク（ＰＤＮ）ゲートウェイ（Ｐ−ＧＷ）、サービングゲートウェイ（Ｓ−ＧＷ）、ＨＳＳ、ＭＭＥ、或いは図示され又はここに説明される他のコアネットワーク要素（例えば、図１−４を参照）を備えている。
【００４８】
これら装置の各々は、６１４、６２４及び６３４として各々示された少なくとも１つのプロセッサを含む。各装置には、少なくとも１つのメモリが設けられ、各々、６１５、６２５及び６３５として示されている。このメモリには、コンピュータプログラムインストラクション又はコンピュータコードが含まれる。プロセッサ６１４、６２４及び６３４、メモリ６１５、６２５及び６３５、又はそのサブセットは、図５の種々のブロックに対応する手段をなすように構成される。
【００４９】
図６に示すように、トランシーバ６１６、６２６及び６３６が設けられ、各装置は、６１７、６２７及び６３７として各々示されたアンテナも備えている。例えば、これら装置の他の構成が設けられてもよい。例えば、コアネットワーク要素６３０は、ワイヤレス通信ではなく、ワイヤード通信のみについて構成され、そのようなケースでは、アンテナ６３７は、従来のアンテナを必要とせずに、任意の形態の通信ハードウェア、例えば、ネットワークインターフェイスカードを示す。
【００５０】
トランシーバ６１６、６２６及び６３６は、各々、独立した送信器、受信器、送受信器、或いは送信及び受信の両方に構成されたユニット又はデバイスである。
【００５１】
プロセッサ６１４、６２４及び６３４は、中央処理ユニット（ＣＰＵ）、特定用途向け集積回路（ＡＳＩＣ）又は同等の装置のような計算又はデータ処理装置によって実施することができる。プロセッサは、単一のコントローラ、或いは複数のコントローラ又はプロセッサとして実施することができる。
【００５２】
メモリ６１５、６２５及び６３５は、独立した適当なストレージ装置、例えば、非一時的なコンピュータ読み取り可能な媒体である。ハードディスクドライブ（ＨＤＤ）、ランダムアクセスメモリ（ＲＡＭ）、フラッシュメモリ又は他の適当なメモリを使用することができる。メモリは、単一の集積回路上でプロセッサと組み合わせることもできるし、又は１つ以上のプロセッサとは個別でもよい。更に、メモリに記憶されてプロセッサにより処理されるコンピュータプログラムインストラクションは、適当な形態のコンピュータプログラムコードでよく、例えば、適当なプログラミング言語で書かれたコンパイル型又は解釈型コンピュータプログラムでよい。
【００５３】
メモリ及びコンピュータプログラムインストラクションは、特定装置のためのプロセッサとで、ＵＥ６１０、無線アクセスネットワーク要素６２０、及びコアネットワーク要素６３０のようなハードウェア装置が、ここに述べるいずれかのプロセス（例えば、図５を参照）を遂行するようにさせるよう構成される。それ故、ある実施形態では、非一時的なコンピュータ読み取り可能な媒体は、ハードウェアで実行されるときに、ここに述べるプロセスの１つのようなプロセスを遂行するコンピュータインストラクションでエンコードされる。或いは又、本発明のある実施形態は、完全にハードウェアで遂行されてもよい。
【００５４】
更に、図６は、ＵＥ、無線アクセスネットワーク要素及びコアネットワーク要素を含むシステムを示しているが、本発明の実施形態は、他の構成、及び付加的な要素を伴う構成に適用されてもよい。例えば、図示されていないが、付加的なＵＥが存在してもよく、そして図１−４に示すように、付加的な無線アクセスネットワーク要素及びコアネットワーク要素が存在してもよい。
【００５５】
ある実施形態は、種々の利益及び／又は効果を有する。例えば、ある実施形態は、ＥＰＣ、ｅＮＢ、ＣＰＥを意味する売主間構成をサポートすることができ、小型セルは、全て、異なる売主からのものでもよく、そして構成は、非常に柔軟性がある。更に、ある実施形態は、インバンド構成（ｅＮＢ−中継局及び中継局−ＵＥに対して同じ周波数）、及びアウトバンド構成（ｅＮＢ−中継局及び中継局−ＵＥに対して異なる周波数）の両方をサポートすることができる。
【００５６】
更に、ある実施形態は、異なるＦＤＤ  ＬＴＥ及びＴＤＤ  ＬＴＥをｅＮＢ−中継局及び中継局−ＵＥリンクのいずれかとしてサポートする。更に、ある実施形態は、小型セルとＣＰＥとの間のインターフェイスとしてイーサネットでコンディショニングされた無線アクセス技術（ＲＡＴ）間中継局システムをサポートし、例えば、移動通信用グローバルシステム（ＧＳＭ）／時分割同期コード多重アクセス（ＴＤ−ＳＣＤＭＡ）／ワイドバンドコード分割多重アクセス（ＷＣＤＭＡ）のためのグローバルシステムを、中継局−ＵＥのためのＲＡＴとして、ＬＴＥをｅＮＢ−中継局のためのＲＡＴとしてサポートする。
【００５７】
当業者であれば、上述した本発明は、異なる順序のステップで実施でき、及び／又はここに開示したものとは異なる構成のハードウェア要素で実施できることが容易に理解されよう。それ故、本発明は、好ましい実施形態に基づいて説明したが、本発明の精神及び範囲から逸脱せずに幾つかの修正、変更及び代替的構造が当業者に明らかとなるであろう。それ故、本発明の境界及び限界は、特許請求の範囲を参照して決定されねばならない。
【符号の説明】
【００５８】
６１０：ＵＥ
６１４：プロセッサ
６１５：メモリ
６１６：トランシーバ
６１７：アンテナ
６２０：無線アクセスネットワーク要素
６２４：プロセッサ
６２５：メモリ
６２６：トランシーバ
６２７：アンテナ
６３０：コアネットワーク要素
６３４：プロセッサ
６３５：メモリ
６３６：トランシーバ
６３７：アンテナ
【図１】
0006643367.tif 000002
【図２】
0006643367.tif 000003
【図３】
0006643367.tif 000004
【図４】
0006643367.tif 000005
【図５】
0006643367.tif 000006
【図６】
0006643367.tif 000007